(57)【要約】【課題】レンズユニットを高精度に組み立てることを容易にする。【解決手段】物体の縮小倒立画像である中間像を形成する第１のレンズが第１の方向に複数配列された第１のレンズ板と、前記中間像の拡大倒立画像を受光面に形成する第２のレンズが前記第１の方向に複数配列された第２のレンズ板とからなるレンズユニットにおいて、前記第１のレンズ板に形成された突き当て部と、前記第２のレンズ板に形成された突き当て部との両方に当接する位置決め部を備えた。【選択図】        図４
2013246349.tif 000002
【特許請求の範囲】
【請求項１】
物体の縮小倒立画像である中間像を形成する第１のレンズが第１の方向に複数配列された第１のレンズ板と、前記中間像の拡大倒立画像を受光面に形成する第２のレンズが前記第１の方向に複数配列された第２のレンズ板とからなるレンズユニットにおいて、
前記第１のレンズ板に形成された突き当て部と、前記第２のレンズ板に形成された突き当て部との両方に当接する位置決め部を備えたことを特徴とするレンズユニット。
【請求項２】
請求項１に記載のレンズユニットにおいて、
前記第１のレンズ板と前記第２のレンズ板とを保持し、前記位置決め部が形成された保持部材を有することを特徴とするレンズユニット。
【請求項３】
請求項１または請求項２に記載のレンズユニットにおいて、
前記第１の方向に複数の絞りが形成され、前記位置決め部が形成された遮光部材を有することを特徴とするレンズユニット。
【請求項４】
請求項１に記載のレンズユニットにおいて、
前記第１の方向に複数の絞りが形成され、前記位置決め部が形成された遮光部材と、
前記第１のレンズ板と前記第２のレンズ板とを保持する保持部材とを有し、
前記遮光部材と前記保持部材とが一体に形成されていることを特徴とするレンズユニット。
【請求項５】
請求項３または請求項４に記載のレンズユニットにおいて、
前記絞りは、前記物体と前記第１のレンズの間に配置されていることを特徴とするレンズユニット。
【請求項６】
請求項１から請求項５のいずれか１項に記載のレンズユニットにおいて、
前記第１のレンズの光軸と平行な方向を第２の方向とし、前記第１の方向と前記第２の方向とに直交する方向を第３の方向としたとき、前記第３の方向における前記第１のレンズを挟んだ両側に前記位置決め部が配置されていることを特徴とするレンズユニット。
【請求項７】
請求項６に記載のレンズユニットにおいて、
前記第３の方向における前記第１のレンズ板の中心線を対称軸として、前記位置決め部が対称に配置されていることを特徴とするレンズユニット。
【請求項８】
物体の縮小倒立画像である中間像を形成する第１のレンズが第１の方向に複数配列された第１のレンズ板と、前記中間像の拡大倒立画像を受光面に形成する第２のレンズが前記第１の方向に複数配列された第２のレンズ板とからなるレンズユニットと、複数の発光素子が前記第１の方向に配列された発光素子アレイとを有する露光装置において、
前記第１のレンズ板に形成された突き当て部と、前記第２のレンズ板に形成された突き当て部との両方に当接する位置決め部を備えたレンズユニットを有することを特徴とする露光装置。
【請求項９】
物体の縮小倒立画像である中間像を形成する第１のレンズが第１の方向に複数配列された第１のレンズ板と、前記中間像の拡大倒立画像を受光面に形成する第２のレンズが前記第１の方向に複数配列された第２のレンズ板とからなるレンズユニットと、複数のＬＥＤ素子が前記第１の方向に配列された発光素子アレイとを有するＬＥＤヘッドにおいて、
前記第１のレンズ板に形成された突き当て部と、前記第２のレンズ板に形成された突き当て部との両方に当接する位置決め部を備えたレンズユニットを有することを特徴とするＬＥＤヘッド。
【請求項１０】
物体の縮小倒立画像である中間像を形成する第１のレンズが第１の方向に複数配列された第１のレンズ板と、前記中間像の拡大倒立画像を受光面に形成する第２のレンズが前記第１の方向に複数配列された第２のレンズ板とからなるレンズユニットと、複数の発光素子が前記第１の方向に配列された発光素子アレイとを有する画像形成装置において、
前記第１のレンズ板に形成された突き当て部と、前記第２のレンズ板に形成された突き当て部との両方に当接する位置決め部を備えたレンズユニットを有することを特徴とする画像形成装置。
【請求項１１】
物体の縮小倒立画像である中間像を形成する第１のレンズが第１の方向に複数配列された第１のレンズ板と、前記中間像の拡大倒立画像を受光面に形成する第２のレンズが前記第１の方向に複数配列された第２のレンズ板とからなるレンズユニットと、複数の受光素子が前記第１の方向に配列された受光素子アレイとを有する読取装置において、
前記第１のレンズ板に形成された突き当て部と、前記第２のレンズ板に形成された突き当て部との両方に当接する位置決め部を備えたレンズユニットを有することを特徴とする読取装置。
【発明の詳細な説明】
【技術分野】
【０００１】
本発明は、レンズユニット、露光装置、ＬＥＤヘッド、画像形成装置および読取装置に関する。
【背景技術】
【０００２】
従来、複数のＬＥＤ（発光ダイオード）を直線状に配列したＬＥＤヘッドを用いた電子写真方式の画像形成装置や複数の受光素子を直線状に配列した受光部に読取り原稿の像を結像させるスキャナやファクシミリ等の読取装置の光学系において、複数のレンズを直線状に配列した２枚のレンズアレイを対向配置したレンズユニットが用いられている（例えば、特許文献１参照）。
【先行技術文献】
【特許文献】
【０００３】
【特許文献１】特開２０１０−１６４６５８号公報（段落「００１９」〜段落「００２２」、図１）
【発明の概要】
【発明が解決しようとする課題】
【０００４】
しかしながら、従来の技術においては、光学系のレンズアレイは長尺であって、レンズユニット全体にわたって高精度に組み立てることが困難であるという問題がある。
本発明は、このような問題を解決することを課題とし、レンズユニットを高精度に組み立てることを容易にすることを目的とする。
【課題を解決するための手段】
【０００５】
そのため、本発明は、物体の縮小倒立画像である中間像を形成する第１のレンズが第１の方向に複数配列された第１のレンズ板と、前記中間像の拡大倒立画像を受光面に形成する第２のレンズが前記第１の方向に複数配列された第２のレンズ板とからなるレンズユニットにおいて、前記第１のレンズ板に形成された突き当て部と、前記第２のレンズ板に形成された突き当て部との両方に当接する位置決め部を備えたことを特徴とする。
【発明の効果】
【０００６】
このようにした本発明は、レンズユニットを高精度に組み立てることを容易にすることができるという効果が得られる。
【図面の簡単な説明】
【０００７】
【図１】第１の実施例におけるプリンタの構成を示す概略図
【図２】第１の実施例におけるＬＥＤヘッドの長手方向における断面図
【図３】第１の実施例におけるＬＥＤヘッドの短手方向における断面図
【図４】第１の実施例におけるＬＥＤヘッドの分解斜視図
【図５】第１の実施例におけるＬＥＤヘッドの正面図
【図６】第１の実施例におけるレンズユニットの断面図
【図７】第２の実施例におけるＬＥＤヘッドの分解斜視図
【図８】第２の実施例におけるＬＥＤヘッドの正面図
【図９】第２の実施例におけるレンズユニットの断面図
【図１０】第３の実施例における読取装置の構成を示す概略図
【図１１】第３の実施例における読取装置の読取ヘッドの構成を示す概略図
【発明を実施するための形態】
【０００８】
以下、図面を参照して本発明によるレンズユニット、露光装置、ＬＥＤヘッド、画像形成装置および読取装置の実施例を説明する。
【実施例１】
【０００９】
本実施例の画像形成装置としてのプリンタを図１の第１の実施例におけるプリンタの構成を示す概略図に基づいて説明する。
図１において、プリンタ１００は、色材としての顔料を含む樹脂からなるトナーにより、画像データをもとに印字媒体上に画像を形成する。
プリンタ１００には、印字媒体としての用紙１０１を貯留する給紙カセット６０が装着され、用紙１０１を給紙カセット６０から取り出す給紙ローラ６１を備え、用紙１０１を給紙して搬送する搬送ローラ６２、６３が配置される。
【００１０】
本発明におけるプリンタ１００は、カラー電子写真方式であり、プリンタ１００内には画像形成部としてイエロー、マゼンダ、シアン、ブラックの各色の画像を形成する静電潜像担持体としての感光体ドラム４１、その感光体ドラム４１に形成された静電潜像をトナーにより現像し、トナー像を形成する現像器５、その現像器５にトナーを供給するトナーカートリッジ５１が用紙１０１の搬送路に沿って並べて配置されている。
【００１１】
また、感光体ドラム４１の表面に電荷を供給して帯電させる帯電ローラ４２、光学ヘッドとしてのＬＥＤ（Ｌｉｇｈｔ  Ｅｍｉｔｔｉｎｇ  Ｄｉｏｄｅ）ヘッド３が、感光体ドラム４１の表面に対向するように配置され、ＬＥＤヘッド３は帯電ローラ４２で帯電された感光体ドラム４１の表面に画像データをもとに選択的に光を照射して静電画像を形成する。
【００１２】
さらに、感光体ドラム４１上に形成され、トナーにより静電潜像を可視化した像であるトナー像を用紙１０１上に転写する転写ローラ８０が、転写部で用紙１０１を搬送する転写ベルト８１を挟むように感光体ドラム４１に対向して配置され、また用紙１０１が転写部を通過した後の感光体ドラム４１の表面に残留したトナーを除去するクリーニングブレード４３が感光体ドラム４１の表面に接触して配置されている。
転写部の下流には用紙１０１上に形成されたトナー像を熱および圧力で定着させる定着器９が配置され、その定着器９を通過した用紙１０１を搬送する搬送ローラ６４、その搬送ローラ６４により搬送され、画像が形成された用紙１０１を貯留する排出部７へ排出する排出ローラ６５が配置される。
【００１３】
また、帯電ローラ４２および転写ローラ８０には図示しない電源により所定の電圧が印加される。そして、転写ベルト８１、感光体ドラム４１および各ローラはそれぞれ図示しないモータと図示しない駆動を伝達するギアにより回転駆動される。さらに、現像器５、ＬＥＤヘッド３、定着器９、および図示しない各モータには、それぞれ電源および制御装置が接続されている。
【００１４】
プリンタ１００は、外部装置から印刷データを受信する外部インターフェースを有し、その外部インターフェースで受信した印刷データをもとに印字媒体上に画像を形成する。
このように構成されたプリンタ１００は、制御プログラムをメモリ等の記憶部に記憶し、その制御プログラムに基づいて全体を制御する制御手段および演算手段としての制御部を備えている。
【００１５】
次に、ＬＥＤヘッドの構成を図２、図３、図４、図５および図６を用いて説明する。
図２は第１の実施例におけるＬＥＤヘッドの長手方向における断面図である。図２において、ＬＥＤヘッド３は長尺のユニットであり、ＬＥＤヘッド３の長手方向が図面の水平方向（Ｙ方向）、発光素子としてのＬＥＤ素子３０が図面の下方、結像面としての感光体ドラム４１が図面の上方となるように示されている。
【００１６】
図３は第１の実施例におけるＬＥＤヘッドの短手方向における断面図であり、ＬＥＤヘッド３の長手方向と直交する平面による断面図である。図３において、ＬＥＤヘッド３の長手方向が図面の表裏方向、ＬＥＤ素子３０が図面の下方、感光体ドラム４１が図面の上方となるように示されている。なお、図２は、図３におけるＢＢ断面図であり、図３は、図２におけるＡＡ断面図である。
【００１７】
図４は第１の実施例におけるＬＥＤヘッドの分解斜視図であり、図５は第１の実施例におけるＬＥＤヘッドの正面図である。図５は、図２および図３に示すＬＥＤヘッド３を結像面としての感光体ドラム４１の方からＬＥＤ素子３０の方向を見た正面図であり、ＬＥＤヘッド３の長手方向が図面の鉛直方向（Ｙ方向）となるように配置されている。
図６は第１の実施例におけるレンズユニットの断面図であり、図３におけるＢＢ断面図である。図６において、ＬＥＤヘッド３の長手方向が水平方向（Ｙ方向）、ＬＥＤ素子３０が図面の下方、感光体ドラム４１が図面の上方となるように示されている。
【００１８】
ＬＥＤヘッド３は、発光素子としてのＬＥＤ素子３０が略直線状に第１の方向（Ｙ方向）に複数配列された発光素子アレイとしての基板３１と、物体としてのＬＥＤ素子３０の倒立縮小像（中間像）を形成する第１のレンズ１２が長手方向（Ｙ方向：第１の方向）に複数配列されたレンズアレイとしての第１のレンズ板１１と、そのＬＥＤ素子３０の倒立縮小像を拡大倒立して拡大倒立画像を受光面に結像する第２のレンズ１５が長手方向に複数配列されたレンズアレイとしての第２のレンズ板１４と、第１のレンズ板１１と第２のレンズ板１４との間に配置された第１の遮光部材としての遮光板２１と、ＬＥＤ素子３０と第１のレンズ板１１との間に配置された第２の遮光部材としてのマスク２３と、マスク２３と結像面としての感光体ドラム４１との距離を調整する調整部材３５と、基板３１と第１のレンズ板１１と第２のレンズ板１４と遮光板２１とマスク２３とを保持して固定する保持部材としてのホルダ３２とにより構成される。
【００１９】
図２において、基板３１、第１のレンズ板１１、第２のレンズ板１４、遮光板２１、およびマスク２３は、すべて長尺の部材で形成され、図２に示すとおり、それぞれの部材の長手方向がすべて平行になるように、水平方向（Ｙ方向）に配置される。
ＬＥＤ素子３０は、等間隔で略直線に配列され、１インチ（約２５．４ｍｍ）当り、６００個のＬＥＤ素子３０が配列されていることを示す６００ｄｐｉ（ｄｏｔ  ｐｅｒ  ｉｎｃｈ）のＬＥＤヘッド３の場合、ＬＥＤ素子３０の配列間隔は０．０４２３３ｍｍとなっている。
【００２０】
また、図２において、ＬＥＤ素子３０の配列方向はＬＥＤヘッド３の長手方向である水平方向（Ｙ方向）である。４１は静電潜像が形成される感光体ドラムであり、ＡＸＲは感光体ドラム４１の回転軸である。この回転軸ＡＸＲは、ＬＥＤ素子３０の配列方向と平行し、水平方向（Ｙ方向）に配置される。
３３は基板突き当て部であり、基板３１と当接して、マスク２３と基板３１との面間隔が長手方向全体にわたって一定となるようにマスク２３に配置されている。
【００２１】
３５は調整部材であり、マスク２３と感光体ドラム４１との面間隔を調整でき、長手方向全体にわたってマスク２３と感光体ドラム４１との面間隔が一定となるようにマスク２３に配置されている。この調整部材３５は、例えば偏心カムで構成される。
３９は摺動部材であり、感光体ドラム４１が回転しても感光体ドラム４１の表面と調整部材３５との間隔が一定となるように、感光体ドラム４１の表面に沿って配置される。
【００２２】
図３において、３４はレンズ突き当て部であり、マスク２３と第１のレンズ板１１との面間隔が長手方向にわたって一定となるようにマスク２３に配置されている。
また、図３において、水平方向（Ｘ方向）をＬＥＤヘッド３、第１のレンズ板１１および第２のレンズ板１４の幅方向（短手方向）とし、第１のレンズ板１１および第２のレンズ板１４の幅方向における中心線をＣＬとすると、図３に示すとおり、中心線ＣＬを外挿した直線上にＬＥＤ素子３０および感光体ドラム４１の回転軸ＡＸＲが配置される。第１のレンズ板１１および第２のレンズ板１４のマイクロレンズの光軸は中心線ＣＬと平行であり、図３の鉛直方向（Ｚ方向）となっている。
【００２３】
図４は第１の実施例におけるＬＥＤヘッドの分解斜視図である。
図４において、第１のレンズ板１１のマイクロレンズである第１のレンズ１２および第２のレンズ板１４のマイクロレンズである第２のレンズ１５の光軸が鉛直方向（Ｚ方向）となるように、また図中の下方にＬＥＤ素子３０、図中の上方に第２のレンズ板１４となるように、第１のレンズ板１１、第２のレンズ板１４およびＬＥＤ素子３０が配置され、ＬＥＤ素子３０の結像は図中の上方に形成される。
【００２４】
ＬＥＤヘッド３は、図中下方から、基板３１（ＬＥＤ素子３０）、マスク２３、第１のレンズ板１１、遮光板２１、第２のレンズ板１４の順で配置されている。第１のレンズ板１１には、第１のレンズ１２が２列に配列され、第２のレンズ板１４には、第２のレンズ１５が２列に配列され、遮光板２１には第１の絞り２２が２列に配列され、マスク２３には第２の絞り２４が２列に配列され、第１のレンズ１２の光軸と第２のレンズ１５の光軸と第１の絞り２２と第２の絞り２４との位置が一致するように、それぞれ同一の間隔で配列されている。
つまり、ＬＥＤヘッド３は、光軸が一致するように配列されたマイクロレンズからなる２枚のレンズ対を光軸に対して直交する方向に略直線に配置した構成となっている。
【００２５】
次に、マスク２３について説明する。３２は、基板３１と第１のレンズ板１１と第２のレンズ板１４と遮光板２１とマスク２３とを固定するホルダであり、ＬＥＤヘッド３の長手方向全体にわたって形成され、マスク２３と一体に形成されている。
図中の幅方向（Ｘ方向）における第２の絞り２４の外側にはレンズ突き当て部３４およびそのレンズ突き当て部３４の外側にホルダ３２がマスク２３の長手方向（Ｙ方向）に沿って形成されている。
マスク２３には、第２の絞り２４が２列に配列され、第２の絞り２４の配列間隔は、第１のレンズ１２と同じであり、長手方向（Ｙ方向）にＰＹ、幅方向（Ｘ方向）にＰＸとなっている。
【００２６】
４４は、ホルダ３２と一体になったマスク２３に形成されたレンズ板位置決め部であり、第１のレンズ板１１の位置決め突起１７および第２のレンズ板１４の位置決め突起１９の両方に当接するように形成されている。このレンズ板位置決め部４４は、マスク２３の長手方向（Ｙ方向）において複数の箇所に配置されている。
４５は、ホルダ３２と一体になったマスク２３に形成されたレンズ板長手方向位置決め部であり、マスク２３の長手方向（Ｙ方向）の略中央に配置されている。なお、マスク２３は、ＬＥＤ素子３０の光線を遮光する素材により形成されている。
【００２７】
次に、第１のレンズ板１１について説明する。
１３は、第１のレンズ板１１に形成されたリブであり、第１のレンズ板１１の長手方向（Ｙ方向）全体にわたって形成され、マスク２３の長手方向（Ｙ方向）全体にわたって形成されたレンズ板突き当て部３４に当接して、第１のレンズ１２と第２の絞り２４との面間隔および第１のレンズ１２と第１の絞り２２との面間隔が、ＬＥＤヘッド３の長手方向（Ｙ方向）全体にわたって一定になるように構成されている。
【００２８】
１７は、位置決め突起であり、第１のレンズ板１１の長手方向（Ｙ方向）における複数の箇所に配置される。１８は、長手方向位置決め突起であり、第１のレンズ板１１の長手方向（Ｙ方向）における略中央に配置される。
第１のレンズ板１１の図中幅方向（Ｘ方向）における位置は、第１のレンズ板１１に形成された位置決め突起１７とレンズ板位置決め部４４とが当接し、第１のレンズ板１１の幅方向における位置決め突起１７の反対側に形成された突き当て面１１ａとホルダ３２に形成された突き当て面４６とが当接することで決定される。
【００２９】
次に、遮光板２１について説明する。
遮光板２１には、長手方向（Ｙ方向）に沿って第１の絞り２２が２列に配列される。第１の絞り２２の配列間隔は、第１のレンズ１２と同じであり、長手方向（Ｙ方向）にＰＹ、幅方向（Ｘ方向）にＰＸとなっている。なお、遮光板２１は、ＬＥＤ素子３０の光線を遮光する素材により形成されている。
【００３０】
遮光板２１は、第１のレンズ板１１のリブ１３と当接することで、図中第１のレンズ１２の光軸が延びる方向（Ｚ方向）における位置が決定される。また、遮光板２１の図中長手方向（Ｙ方向）における位置は、遮光板２１に形成された突起部２１ｂがレンズ板長手方向位置決め部４５と嵌合することで決定される。さらに、遮光板２１の図中幅方向（Ｘ方向）における位置は、遮光板２１に形成された突起部２１ａとレンズ板位置決め部４４とが当接し、遮光板２１の図中幅方向（Ｘ方向）における突起部２１ａの反対側に形成された突き当て面２１ｃとホルダ３２に形成された突き当て面４６とが当接することで決定される。
【００３１】
次に、第２のレンズ板１４について説明する。
１６は、第２のレンズ板１４に形成されたリブであり、第２のレンズ板１４の長手方向（Ｙ方向）全体にわたって形成され、遮光板２１に当接して、第２のレンズ１５と第１の絞り２２との面間隔がＬＥＤヘッド３の長手方向（Ｙ方向）全体にわたって一定になるように構成されている。
１９は、位置決め突起であり、第２のレンズ板１４の長手方向（Ｙ方向）における複数の箇所に配置される。２０は、長手方向位置決め突起であり、第２のレンズ板１４の長手方向（Ｙ方向）における略中央に配置される。
【００３２】
第２のレンズ板１４の図中幅方向（Ｘ方向）における位置は、第２のレンズ板１４に形成された位置決め突起１９とレンズ板位置決め部４４とが当接し、第２のレンズ板１４の幅方向における位置決め突起１９の反対側に形成された突き当て面１４ａとホルダ３２に形成された突き当て面４６とが当接することで決定される。
【００３３】
図５は第１の実施例におけるＬＥＤヘッドの正面図であり、図５を用いて第１のレンズ板および第２のレンズ板の形状について説明する。なお、図５の鉛直方向（Ｙ方向）が第１のレンズ板および第２のレンズ板の長手方向になっている。また、第１のレンズ板の形状と第２のレンズ板の形状とは、略同形状に形成されているため、以下に第２のレンズ板の形状を説明する。
【００３４】
図５において、第２のレンズ板１４には、複数の第２のレンズ１５が長手方向に平行する２列に千鳥状に交互に配置されている。ＡＸＬは第２のレンズ１５の光軸である。第２のレンズ１５の配列間隔は、第２のレンズ１５の長手方向（Ｙ方向）にＰＹ、幅方向（Ｘ方向）にＰＸである。このとき、ＰＹがＰＸより大きくなるように、第２のレンズ１５が配列されている。
【００３５】
隣接する２つの第２のレンズ１５の間に平坦部は形成されず、隣接する２つの第２のレンズ１５は境界で接し、隙間なく緻密に配置されている。つまり、第２のレンズ板１４の長手方向における、第２のレンズ１５の半径はＰＹ／２になっている。また、第２のレンズ１５の半径ＲＬは、ＰＹ／２より大きくなっている。なお、第２のレンズ板１４は、発光部の光線を透過する素材により構成されている。
【００３６】
第１のレンズ板１１は、第２のレンズ板１４と略同形状に形成され、また第１のレンズ１２は、第２のレンズ１５と略同形状に形成され、配置されている。
ＣＬは、レンズユニットの中心線であり、第１のレンズ１２および第２のレンズ１５が２列に配列されている場合、レンズ列に平行であり、２列のレンズ列の中間にある直線である。なお、第１のレンズ１２および第２のレンズ１５が１列に配列されている場合、レンズが配列されている直線に一致する。
【００３７】
位置決め突起１９は、マスク２３のレンズ板位置決め部４４に突き当てられ、第２のレンズ板１４の幅方向（Ｘ方向）における反りを抑制し、第２のレンズ板１４の幅方向（Ｘ方向）における第２のレンズ１５の光軸と図４に示す第１の絞り２２との位置ずれを抑制する。
【００３８】
図５において第２のレンズ板１４の奥に配置され、図示されない第１のレンズ板１１においても同様に、位置決め突起１７は、マスク２３のレンズ板位置決め部４４に突き当てられ、第１のレンズ板１１の幅方向（Ｘ方向）における反りを抑制し、第１のレンズ板１１の幅方向（Ｘ方向）における第１のレンズ１２の光軸と図４に示す第１の絞り２２および第２の絞り２４との位置ずれを抑制する。
【００３９】
長手方向位置決め突起２０は、マスク２３のレンズ板長手方向位置決め部４５に嵌合され、第２のレンズ板１４の長手方向（Ｙ方向）における第２のレンズ１５の光軸と図４に示す第１の絞り２２との位置ずれを抑制する。
図５において第２のレンズ板１４の奥に配置され、図示されない第１のレンズ板１１においても同様に、長手方向位置決め突起１８は、マスク２３のレンズ板長手方向位置決め部４５に嵌合され、第１のレンズ板１１の長手方向（Ｙ方向）における第１のレンズ１２の光軸と図４に示す第１の絞り２２および第２の絞り２４との位置ずれを抑制する。
【００４０】
図６は第１の実施例におけるレンズユニットの断面図であり、レンズユニット１は、図中下方から、マスク２３、第１のレンズ板１１、遮光板２１、第２のレンズ板１４の順で配置されている。この図６を用いて各部の面間隔について説明する。
図６において、物体（ＬＥＤ素子）３０ａが配置された面である物体面ＯＰと第１のレンズ１２までの距離はＬＯに設定され、第１のレンズ１２と第２のレンズ１５との面の間隔はＬＳに設定され、第２のレンズ１５と結像面ＩＰとの面の間隔はＬＩに設定され、第１のレンズ１２の厚さはＬＴ１、第２のレンズ１５の厚さはＬＴ２に設定されている。
【００４１】
第１のレンズ１２は、光軸ＡＸＬ方向に距離ＬＯ１の位置にある物体３０ａの結像として中間像３０ｂを、光軸ＡＸＬ方向に距離ＬＩ１離れた中間像面ＩＭＰ上に形成する。このとき、中間像３０ｂは、物体３０ａの倒立縮小像になっている。
第２のレンズ１５は、距離ＬＯ２の位置にある中間像３０ｂの結像３０ｃを、光軸ＡＸＬ方向にＬＩ２隔てた結像面ＩＰ上に結像する。このとき、結像３０ｃは、物体３０ａの正立等倍像になっている。
物体面ＯＰから第１のレンズ１２までの距離ＬＯは距離ＬＯ１と等しく設定され、第１のレンズ１２と第２のレンズ１５との間隔ＬＳは、ＬＳ＝ＬＩ１＋ＬＯ２に設定され、第２のレンズ１５から結像面ＩＰまでの距離ＬＩは、距離ＬＩ２と等しく設定される。
【００４２】
上述した構成の作用について説明する。
まず、プリンタ１００の動作を図１に基づいて説明する。
プリンタ１００の感光体ドラム４１表面は、図示しない電源装置により電圧が印加された帯電ローラ４２により帯電される。続いて、感光体ドラム４１が回転することによって帯電された感光体ドラム４１表面がＬＥＤヘッド３の付近に到達するとＬＥＤヘッド３によって露光され、感光体ドラム４１表面に静電潜像が形成される。この静電潜像は現像器５により現像され、感光体ドラム４１の表面にトナー像が形成される。
【００４３】
一方、給紙カセット６０にセットされた用紙１０１が給紙ローラ６１によって給紙カセット６０から取り出され、搬送ローラ６２、６３により、転写ローラ８０および転写ベルト８１の付近に搬送される。
感光体ドラム４１が回転することにより、現像によって得られた感光体ドラム４１表面上のトナー像が転写ローラ８０および転写ベルト８１の付近に到達すると図示しない電源装置により電圧が印加されている転写ローラ８０および転写ベルト８１によって、感光体ドラム４１表面上のトナー像は用紙１０１上に転写される。
【００４４】
続いて、表面にトナー像が形成された用紙１０１は、転写ベルト８１の回転により定着器９へ搬送され、用紙１０１上のトナー像はその定着器９により加圧されながら加熱されることにより溶解し、用紙１０１上に固定される。トナー像が固定された用紙１０１は、搬送ローラ６４および排出ローラ６５により排出部７に排出されてプリンタ１００の動作が終了する。
【００４５】
次に、ＬＥＤヘッド３の動作を図６に基づいて説明する。
画像データをもとにプリンタの制御部により図３に示すＬＥＤヘッド３の制御信号が発信されると基板３１上のドライバＩＣはその制御信号に基づき任意の光量でＬＥＤ素子３０を発光する。
第１のレンズ１２は、第１の絞り２２の内部の中間像面ＩＭＰ上に、物体３０ａの結像としての中間像３０ｂを形成する。このとき、中間像３０ｂは、物体３０ａの倒立縮小像になっている。
【００４６】
第２のレンズ１５は、結像面ＩＰ上に、中間像３０ｂの結像としての結像３０ｃを結像する。このとき、結像３０ｃは、物体３０ａの正立等倍像になっている。
結像３０ｃを形成する光線は、第２の絞り２４を透過し、結像のコントラストを低下させるいわゆる迷光はマスク２３によって遮断される。
【００４７】
本実施例においては、図４に示すように、第１のレンズ板１１に位置決め突起１７が形成され、また第２のレンズ板１４に位置決め突起１９が形成され、一方マスク２３にレンズ板位置決め部４４が形成され、レンズ板位置決め部４４が位置決め突起１７および位置決め突起１９の両方に当接している。このため、第１のレンズ板１１および第２のレンズ板１４の幅方向（Ｘ方向）における反りを抑制し、レンズ板位置決め部４４が、第１のレンズ板１１および第２のレンズ板１４の両部材のＬＥＤヘッド３の幅方向（Ｘ方向）における位置を決定しているため、第１のレンズ１２の光軸と第２のレンズ１５の光軸とを精度良く一致させることができる。
【００４８】
以上説明したように、第１の実施例では、第１のレンズ板に位置決め突起を形成し、また第２のレンズ板に位置決め突起を形成し、一方マスクにレンズ板位置決め部を形成し、レンズ板位置決め部が第１のレンズ板および第２のレンズ板の位置決め突起の両方に当接するようにしたことにより、レンズ板の反りを抑制し、レンズユニットを高精度に組み立てることを容易にすることができるという効果が得られる。
【実施例２】
【００４９】
第２の実施例のレンズユニットおよびＬＥＤヘッドの構成を図７、図８および図９を用いて説明する。なお、第１の実施例と同じ部分は同一の符号を付してその説明を省略し、また画像形成装置の構成は第１の実施例と同様なのでその説明を省略する。
図７は第２の実施例におけるＬＥＤヘッドの分解斜視図、図８は第２の実施例におけるＬＥＤヘッドの正面図、図９は第２の実施例におけるレンズユニットの断面図である。
【００５０】
図８は、図２および図３に示すＬＥＤヘッド３を結像面としての感光体ドラム４１の方からＬＥＤ素子３０の方向を見た正面図であり、ＬＥＤヘッド３の長手方向が図面の鉛直方向（Ｙ方向）となるように配置されている。
図９は、図３におけるＢＢ断面図であり、ＬＥＤヘッド３の長手方向が水平方向（Ｙ方向）、ＬＥＤ素子３０が図面の下方、感光体ドラム４１が図面の上方となるように示されている。
【００５１】
図７において、第１のレンズ板１１１のマイクロレンズである第１のレンズ１２１および第２のレンズ板１１２のマイクロレンズである第２のレンズ１２２の光軸が鉛直方向（Ｚ方向）となるように、また図中の下方にＬＥＤ素子３０、図中の上方に第２のレンズ板１１２となるように、第１のレンズ板１１１、第２のレンズ板１１２およびＬＥＤ素子３０が配置され、ＬＥＤ素子３０の結像は図中の上方に形成される。
【００５２】
ＬＥＤヘッド３は、図中下方から、基板３１（ＬＥＤ素子３０）、マスク２３、第１のレンズ板１１１、遮光板２１、第２のレンズ板１１２の順で配置されている。第１のレンズ板１１１には、第１のレンズ１２１が２列に配列され、第２のレンズ板１１２には、第２のレンズ１２２が２列に配列され、遮光板２１には第１の絞り２２が２列に配列され、マスク２３には第２の絞り２４が２列に配列され、第１のレンズ１２１の光軸と第２のレンズ１２２の光軸と第１の絞り２２と第２の絞り２４との位置が一致するように、それぞれ同一の間隔で配列されている。
【００５３】
次に、マスク２３について説明する。
４４（４４ａ、４４ｂ）は、レンズ板位置決め部であり、第１のレンズ板１１１の位置決め突起１７１および第２のレンズ板１１２の位置決め突起１７２の両方に当接するように形成されている。このレンズ板位置決め部４４は、マスク２３の長手方向（Ｙ方向）において複数の箇所に配置されている。また、レンズ板位置決め部４４は、第１のレンズ１２１の光軸と平行な方向（Ｚ方向：第２の方向）と、第１のレンズ１２１が配列された方向（Ｙ方向：第１の方向）とに直交する幅方向（Ｘ方向：第３の方向）における第１のレンズ１２１を挟んだ両側、すなわちマスク２３の幅方向（Ｘ方向）における第２の絞り２４を挟んだ両側に配置されている。
４５は、レンズ板長手方向位置決め部であり、マスク２３の長手方向（Ｙ方向）の略中央に配置されている。このレンズ板長手方向位置決め部４５は、マスク２３の幅方向（Ｘ方向）における第２の絞り２４を挟んだ両側に配置されている。
【００５４】
次に、第１のレンズ板１１１について説明する。
１３１は、第１のレンズ板１１１に形成されたリブであり、第１のレンズ板１１１の長手方向（Ｙ方向）全体にわたって形成され、マスク２３の長手方向（Ｙ方向）全体にわたって形成されたレンズ板突き当て部３４に当接して、第１のレンズ１２１と第２の絞り２４との面間隔および第１のレンズ１２１と第１の絞り２２との面間隔が、ＬＥＤヘッド３の長手方向（Ｙ方向）全体にわたって一定になるように構成されている。
【００５５】
１７１（１７１ａ、１７１ｂ）は、位置決め突起であり、第１のレンズ板１１１の長手方向（Ｙ方向）における複数の箇所に配置され、第１のレンズ板１１１の幅方向（Ｘ方向）における第１のレンズ１２１を挟んだ両側に配置される。１８１は、長手方向位置決め突起であり、第１のレンズ板１１１の長手方向（Ｙ方向）における略中央に配置される。
第１のレンズ板１１１の図中幅方向（Ｘ方向）における位置は、第１のレンズ板１１１に形成された位置決め突起１７１ａとレンズ板位置決め部４４ａとが当接し、第１のレンズ板１１１の幅方向における位置決め突起１７１ａの反対側に形成された位置決め突起１７１ｂとレンズ板位置決め部４４ｂとが当接することで決定される。
【００５６】
次に、第２のレンズ板１１２について説明する。
１３２は、第２のレンズ板１１２に形成されたリブであり、第２のレンズ板１１２の長手方向（Ｙ方向）全体にわたって形成され、遮光板２１に当接して、第２のレンズ１２２と第１の絞り２２との面間隔がＬＥＤヘッド３の長手方向（Ｙ方向）全体にわたって一定になるように構成されている。
【００５７】
１７２（１７２ａ、１７２ｂ）は、位置決め突起であり、第２のレンズ板１１２の長手方向（Ｙ方向）における複数の箇所に配置され、第２のレンズ板１１２の幅方向（Ｘ方向）における第２のレンズ１２２を挟んだ両側に配置される。１８２は、長手方向位置決め突起であり、第２のレンズ板１１２の長手方向（Ｙ方向）における略中央に配置される。
第２のレンズ板１１２の図中幅方向（Ｘ方向）における位置は、第２のレンズ板１１２に形成された位置決め突起１７２ａとレンズ板位置決め部４４ａとが当接し、第２のレンズ板１１２の幅方向における位置決め突起１７２ａの反対側に形成された位置決め突起１７２ｂとレンズ板位置決め部４４ｂとが当接することで決定される。
【００５８】
遮光板２１は、第１のレンズ板１１１のリブ１３１と当接することで、図中第１のレンズ１２１の光軸が延びる方向（Ｚ方向）における位置が決定される。また、遮光板２１の図中長手方向（Ｙ方向）における位置は、遮光板２１に形成された突起部２１ｂがレンズ板長手方向位置決め部４５と嵌合することで決定される。さらに、遮光板２１の図中幅方向（Ｘ方向）における位置は、遮光板２１に形成された突起部２１ａとレンズ板位置決め部４４ａとが当接し、遮光板２１の図中幅方向（Ｘ方向）における突起部２１ａの反対側に形成された突起部２１ｃとレンズ板位置決め部４４ｂとが当接することで決定される。
【００５９】
図８を用いて第１のレンズ板、第２のレンズ板およびマスクの形状について説明する。なお、図８の鉛直方向（Ｙ方向）が第１のレンズ板および第２のレンズ板の長手方向になっている。また、第１のレンズ板の形状と第２のレンズ板の形状とは、略同形状に形成されているため、以下に第２のレンズ板の形状を説明する。
【００６０】
図８において、第２のレンズ板１１２には、複数の第２のレンズ１２２が長手方向に平行する２列に千鳥状に交互に配置されている。ＡＸＬは第２のレンズ１２２の光軸である。第２のレンズ１２２の配列間隔は、第２のレンズ１２２の長手方向（Ｙ方向）にＰＹ、幅方向（Ｘ方向）にＰＸである。このとき、ＰＹがＰＸより大きくなるように、第２のレンズ１２２が配列されている。
【００６１】
隣接する２つの第２のレンズ１２２の間に平坦部は形成されず、隣接する２つの第２のレンズ１２２は境界で接し、隙間なく緻密に配置されている。つまり、第２のレンズ板１１２の長手方向における、第２のレンズ１２２の半径はＰＹ／２になっている。また、第２のレンズ１２２の半径ＲＬは、ＰＹ／２より大きくなっている。なお、第２のレンズ板１１２は、発光部の光線を透過する素材により構成されている。
【００６２】
第１のレンズ板１１１は、第２のレンズ板１１２と略同形状に形成され、また第１のレンズ１２１は、第２のレンズ１２２と略同形状に形成され、配置されている。
第１のレンズ板１１１は、第２のレンズ板１１２に対して中心線ＣＬを回転軸に１８０度回転した向きで配置される。また、第１のレンズ板１１１は、第２のレンズ板１１２に対し、長手方向（Ｙ方向）にｍ×ＰＹ／２（ｍは０以外の整数）ずらして配置される。
【００６３】
ＣＬは、レンズユニットの中心線であり、第１のレンズ１２１および第２のレンズ１２２が２列に配列されている場合、レンズ列に平行であり、２列のレンズ列の中間にある直線である。なお、第１のレンズ１２１および第２のレンズ１２２が１列に配列されている場合、中心線ＣＬは、レンズが配列されている直線に一致する。
位置決め突起１７２は、マスク２３のレンズ板位置決め部４４に突き当てられ、第２のレンズ板１１２の幅方向（Ｘ方向）における反りを抑制し、第２のレンズ板１１２の幅方向（Ｘ方向）における第２のレンズ１２２の光軸と図７に示す第１の絞り２２との位置ずれを抑制する。
【００６４】
図８において第２のレンズ板１１２の奥に配置され、図示されない第１のレンズ板１１１においても同様に、位置決め突起１７１は、マスク２３のレンズ板位置決め部４４に突き当てられ、第１のレンズ板１１１の幅方向（Ｘ方向）における反りを抑制し、第１のレンズ板１１１の幅方向（Ｘ方向）における第１のレンズ１２１の光軸と図７に示す第１の絞り２２および第２の絞り２４との位置ずれを抑制する。
【００６５】
長手方向位置決め突起１８２は、マスク２３のレンズ板長手方向位置決め部４５に嵌合され、第２のレンズ板１１２の長手方向（Ｙ方向）における第２のレンズ１２２の光軸と図７に示す第１の絞り２２との位置ずれを抑制する。
図８において第２のレンズ板１１２の奥に配置され、図示されない第１のレンズ板１１１においても同様に、長手方向位置決め突起１８１は、マスク２３のレンズ板長手方向位置決め部４５に嵌合され、第１のレンズ板１１１の長手方向（Ｙ方向）における第１のレンズ１２１の光軸と図７に示す第１の絞り２２および第２の絞り２４との位置ずれを抑制する。
【００６６】
マスク２３のレンズ板位置決め部４４は、マスク２３の幅方向（Ｘ方向）における第２のレンズ板１１２（図７に示す第１のレンズ板１１１および第２のレンズ板１１２）の中心線ＣＬを対称軸としてその中心線ＣＬに対して対称に配置される。つまり、図８におけるマスク２３の幅方向（Ｘ方向）左側のレンズ板位置決め部４４と、右側のレンズ板位置決め部４４とは、いずれもマスク２３の幅方向における中心線ＣＬから等しい距離ＬＸに配置される。
【００６７】
マスク２３のレンズ板長手方向位置決め部４５は、図７に示すマスク２３の幅方向（Ｘ方向）において第２の絞り２４を挟んだ両側に配置され、図８におけるマスク２３の幅方向（Ｘ方向）左側のレンズ板長手方向位置決め部４５と、右側のレンズ板長手方向位置決め部４５とは、マスク２３の長手方向（Ｙ方向）にｍ×ＰＹ／２（ｍは０以外の整数）ずらして配置される。
【００６８】
図９は第２の実施例におけるレンズユニットの断面図であり、レンズユニット１は、図中下方から、マスク２３、第１のレンズ板１１１、遮光板２１、第２のレンズ板１１２の順で配置されている。この図９を用いて各部の面間隔について説明する。
図９において、物体（ＬＥＤ素子）３０ａが配置された面である物体面ＯＰと第１のレンズ１２１までの距離はＬＯに設定され、第１のレンズ１２１と第２のレンズ１２２との面の間隔ＬＳは（２×ＬＩ１）に設定され、第２のレンズ１２２と結像面ＩＰとの面の間隔ＬＩはＬＯ１に設定され、第２のレンズ１２２の厚さは、第１のレンズ１２１の厚さと等しくＬＴ１に設定されている。
【００６９】
第２のレンズ１２２の両面の形状は、第１のレンズ１２１の面形状と等しく形成されている。しかし、配置の向きは反対向きであり、第２のレンズ１２２の物体面側の面と、第１のレンズ１２１の結像面側の面が等しくなるように配置され、第２のレンズ１２２の結像面側の面と、第１のレンズ１２１の物体面側の面が等しくなるように１８０度回転されて配置される。
第１のレンズ１２１は、光軸ＡＸＬ方向に距離ＬＯ１の位置にある物体３０ａの結像として中間像３０ｂを、光軸ＡＸＬ方向に距離ＬＩ１離れた中間像面ＩＭＰ上に形成する。このとき、中間像３０ｂは、物体３０ａの倒立縮小像になっている。
【００７０】
第２のレンズ１２２は、距離ＬＩ１の位置にある中間像３０ｂの結像３０ｃを、光軸ＡＸＬ方向にＬＯ１隔てた結像面ＩＰ上に結像する。このとき、結像３０ｃは、物体３０ａの正立等倍像になっている。
上述した構成の作用について説明する。なお、プリンタおよびＬＥＤヘッドの動作は第１の実施例と同様なのでその説明を省略する。
【００７１】
本実施例においては、図８に示すように、マスク２３のレンズ板位置決め部４４は、マスク２３の幅方向（Ｘ方向）における中心線ＣＬに対して対称に配置されている。つまり、マスク２３の幅方向（Ｘ方向）左側のレンズ板位置決め部４４と、右側のレンズ板位置決め部４４とは、いずれもマスク２３の幅方向における中心線ＣＬから等しい距離ＬＸに配置されている。
【００７２】
そして、図７に示すように、マスク２３の幅方向（Ｘ方向）の両側に配置されたレンズ板位置決め部４４が、第１のレンズ板１１１の幅方向（Ｘ方向）の両側に配置された位置決め突起１７１および第２のレンズ板１１２の幅方向（Ｘ方向）の両側に配置された位置決め突起１７２の両方に当接しているので、第１のレンズ板１１１および第２のレンズ板１１２のそれぞれの幅方向（Ｘ方向）における反りを抑制し、またレンズ板位置決め部４４が、第１のレンズ板１１１および第２のレンズ板１１２の両部材のＬＥＤヘッド３の幅方向における位置を決定しているため、第１のレンズ１２１の光軸と第２のレンズ１２２の光軸とを精度良く一致させることができる。
【００７３】
以上説明したように、第２の実施例では、マスクの幅方向の両側に配置されたレンズ板位置決め部が、第１のレンズ板の幅方向の両側に配置された位置決め突起および第２のレンズ板の幅方向の両側に配置された位置決め突起の両方に当接するようにしたことにより、レンズ板の反りを抑制し、レンズユニットを高精度に組み立てることを容易にすることができるという効果が得られる。
また、物体側と結像側で形状の異なるレンズ板を用意する必要がなく、レンズユニットの生産性を向上させることができるという効果が得られる。
【実施例３】
【００７４】
第３の実施例の構成を図１０の第３の実施例における読取装置の構成を示す概略図に基づいて説明する。なお、上述した第１の実施例と同様の部分は、同一の符号を付してその説明を省略する。
図１０において、５００は、原稿を読取って画像データとしての電子データを生成する読取装置としてのスキャナである。
【００７５】
スキャナ５００は、読取ヘッド４００、ランプ５０１、原稿台５０２、レール５０３、駆動ベルト５０５、モータ５０６等で構成されている。
読取ヘッド４００は、照明装置としてのランプ５０１により照射され、原稿６００の表面で反射した光線を取り込み電子データに変換するものである。ランプ５０１は、照射した光が原稿６００の表面で反射し、読取ヘッド４００内に取り込まれるように配置されている。
【００７６】
原稿台５０２は、電子データが生成される原稿６００を載置するものであり、可視光線を透過する素材で形成されている。
レール５０３は、原稿台５０２の下方に配置され、読取ヘッド４００を移動可能にするものであり、読取ヘッド４００は、その一部が複数の滑車５０４により張架された駆動ベルト５０５に接続され、モータ５０６で駆動された駆動ベルト５０５によりレール５０３上を移動可能に構成されている。
【００７７】
次に、読取ヘッド４００の構成を図１１の第３の実施例における読取装置の読取りヘッドの構成を示す概略図に基づいて説明する。図１１は、レンズユニット１の長手方向と直交する平面による断面図であり、レンズユニット１の長手方向が図面の表裏方向、ミラー４０２が図面の下方、ラインセンサ４０１が図面の上方となるように示されている。
図１１において、読取ヘッド４００は、レンズユニット１、ラインセンサ４０１およびミラー４０２で構成されている。レンズユニット１は、第１の実施例で説明したレンズユニット１である。
【００７８】
ホルダ３２は、第１のレンズ板１１と第２のレンズ板１４と遮光板２１とマスク２３とを固定するものであり、レンズユニット１の長手方向全体にわたって形成され、マスク２３と一体に形成されている。
ミラー４０２は、原稿６００で反射された光線の光路を折り曲げてその光線をレンズユニット１に入射させるものである。
ラインセンサ４０１は、複数の受光素子が間隔ＰＲでレンズユニット１の長手方向（第１の方向）に直線に受光素子アレイとしての基板３１に配置されており、レンズユニット１により形成された原稿画像の結像を電気信号に変換するものである。
【００７９】
本実施例においては、図６および図９に示すレンズユニット１の物体面ＯＰが原稿６００となるように、また結像面ＩＰがラインセンサ４０１となるように配置される。
第２の遮光部材としてのマスク２３は、第２のレンズ板１４とラインセンサ４０１との間に配置され、第１のレンズ１２の光軸と一致するように、第２の絞り２４が配列されている。つまり、第２の絞り２４は、第２のレンズ１５の光軸上で、第２のレンズ１５とラインセンサ４０１との間に配置される。
【００８０】
上述した構成の作用について説明する。
まず、読取装置の動作を図１０に基づいて説明する。
ランプ５０１が点灯し、原稿６００の表面を照射することにより、原稿６００の表面で反射した光線が読取ヘッド４００内に取り込まれる。モータ５０６により、駆動ベルト５０５が駆動して読取ヘッド４００とランプ５０１が図１０における左右方向に移動し、読取ヘッド４００は原稿６００の全面から反射した光線を取り込む。
【００８１】
次に、読取ヘッド４００の動作を図１１に基づいて説明する。
原稿６００で反射された光線は、原稿台５０２を透過し、ミラー４０２で光路が折り曲げられ、レンズユニット１に入射する。レンズユニット１により結像された原稿画像の結像はラインセンサ４０１上に形成され、ラインセンサ４０１は形成された原稿画像の結像を電気信号に変換して電子データを生成する。
【００８２】
本実施例においては、図４に示すように、マスク２３のレンズ板位置決め部４４が第１のレンズ板１１の位置決め突起１７および第２のレンズ板１４の位置決め突起１９の両方に当接している。このため、第１のレンズ板１１および第２のレンズ板１４それぞれの反りを抑制し、レンズ板位置決め部４４が、第１のレンズ板１１および第２のレンズ板１４の両部材の読取ヘッド４００の幅方向（Ｘ方向）における位置を決定しているため、第１のレンズ１２の光軸と第２のレンズ１５の光軸とを精度良く一致させることができ、原稿と同一の良好な画像（電子）データが得られる。
【００８３】
なお、本実施例では、レンズユニット１を第１の実施例で説明したレンズユニット１として説明したが、第２の実施例で説明したレンズユニット１としても良い。
以上説明したように、第３の実施例では、読取装置においても第１および第２の実施例と同様の効果が得られ、原稿と同一の画像データを読取ることができるという効果が得られる。
【符号の説明】
【００８４】
１    レンズユニット
３    ＬＥＤヘッド
５    現像器
７    排出部
９    定着器
１１、１１１  第１のレンズ板
１２、１２１  第１のレンズ
１４、１１２  第２のレンズ板
１５、１２２  第２のレンズ
１７、１９、１７１、１７２  位置決め突起
１８、２０、１８１、１８２  長手方向位置決め突起
２１  遮光板
２２  第１の絞り
２３  マスク
２４  第２の絞り
３０  ＬＥＤ素子
３１  基板
３２  ホルダ
３５  調整部材
３９  摺動部材
４１  感光体ドラム
４２  帯電ローラ
４３  クリーニングブレード
４４  レンズ板位置決め部
４５  レンズ板長手方向位置決め部
５１  トナーカートリッジ
６０  給紙カセット
６１  給紙ローラ
６２、６３、６４  搬送ローラ
６５  排出ローラ
８０  転写ローラ
８１  転写ベルト
【図１】
2013246349.tif 000003
【図２】
2013246349.tif 000004
【図３】
2013246349.tif 000005
【図４】
2013246349.tif 000006
【図５】
2013246349.tif 000007
【図６】
2013246349.tif 000008
【図７】
2013246349.tif 000009
【図８】
2013246349.tif 000010
【図９】
2013246349.tif 000011
【図１０】
2013246349.tif 000012
【図１１】
2013246349.tif 000013